(57)【特許請求の範囲】
【請求項１】
外装体の内側に配される部品が、前記外装体と内部機器とで挟持されて所定位置に取り付けられ、前記外装体を開けると、前記部品を挟持する力が失われて、前記部品が落下し、落下した前記部品が、前記所定位置に再度取り付けられなくなって、使用不能になるカメラであって、
組み付け時に前記部品を前記外装体又は内部機器の所定位置に支持する支持部材を備え、該支持部材は形状記憶合金で成形され、組み付け後に加熱されると前記部品を支持不能に変形することを特徴とするカメラ。
【発明の詳細な説明】
【０００１】
【発明の属する技術分野】
本発明はカメラに係り、特に撮影後に回収してリサイクル利用されるカメラに関する。
【０００２】
【従来の技術】
銀塩カメラの分野では、従来よりリサイクル利用されるカメラとしてレンズ付きフイルムが普及している。このようなレンズ付きフイルムは、行楽地などでカメラを携帯し忘れたときでも、その場で手軽に入手できるという利点がある。
【０００３】
一方、デジタルカメラも近年急速に高画素化が進んでおり、画質も銀塩カメラと遜色ないレベルに達していることから、銀塩カメラと同様に手軽に利用できるリサイクル可能なカメラの登場が望まれている。
【０００４】
ところで、このようにリサイクル利用されるカメラは安価で提供できることが前提となり、このためにもリサイクルをシステム化し、不正な再利用を防止する必要がある。
【０００５】
このような観点から特開平１１−２３４５４２号公報にはリサイクル利用可能なデジタルカメラとして、部品の交換時期を判断するためのデータを記録するメモリが備えられたデジタルカメラが開示されている。また、特開２０００−１９６９３１号公報には、撮影した画像データを暗号化することにより、販売店以外では復号化して読み出せないようにしたデジタルカメラが開示されている。また、特開２０００−１９６９９５号公報には、カメラに備えた不揮発性メモリに画像データ等をアナログ量として記録することにより、構成を簡略化したデジタルカメラが開示されている。
【０００６】
【発明が解決しようとする課題】
しかしながら、従来のリサイクルデジタルカメラでは、内蔵されたメモリーカードの交換などにより容易に不正な再利用ができるという欠点がある。
【０００７】
本発明はこのような事情に鑑みてなされたもので、リサイクルをシステム化し、不正な再利用を防止できるカメラを提供することを目的とする。
【０００８】
【課題を解決するための手段】
請求項１に係る発明は、前記目的を達成するために、外装体の内側に配される部品が、前記外装体と内部機器とで挟持されて所定位置に取り付けられ、前記外装体を開けると、前記部品を挟持する力が失われて、前記部品が落下し、落下した前記部品が、前記所定位置に再度取り付けられなくなって、使用不能になるカメラであって、組み付け時に前記部品を前記外装体又は内部機器の所定位置に支持する支持部材を備え、該支持部材は形状記憶合金で成形され、組み付け後に加熱されると前記部品を支持不能に変形することを特徴とするカメラを提供する。
【００１０】
本発明によれば、外装体の内側に配される部品が、外装体と内部機器とで挟持されて所定位置に取り付けられ、外装体を開けると、挟持力が失われて部品が落下し、使用不能になる。これにより、外装体を開けた場合は、再度利用不能になり、不正な再利用を効果的に防止することができる。
【００１１】
【発明の実施の形態】
以下、添付図面に従って本発明に係るカメラの好ましい実施の形態について詳説する。
【００１２】
図１は本発明が適用されたデジタルカメラの分解斜視図である。このデジタルカメラ１０はリサイクル利用を目的としたカメラであり、たとえば撮影可能枚数があらかじめ設定されている。ユーザーは設定された枚数の撮影が終了すると、カメラごと販売店等に持ち込み、プリントの依頼やコンパクトディスク等の媒体への書き込みを依頼する。
【００１３】
図１に示すように、このデジタルカメラ１０の外装カバーはフロントカバー１２Ａとリアカバー１２Ｂとで構成され、その内側にデジタルカメラを構成する基板１４、１４、…や光学ユニット１６等の各種構成部品が収容される。
【００１４】
フロントカバー１２Ａとリアカバー１２Ｂは、内部機器を前後から覆うようにして組み付けられ、側面の４箇所をビス１８、１８、…でネジ止めすることにより一体化される。この際、リアカバー１２Ｂは、前方に突出して形成された４つの接続片２０、２０、…をフロントカバー１２Ａの内側に嵌め込むことでフロントカバー１２Ａと組み合わされ、そのフロントカバー１２Ａの側面に形成された４つのビス取付穴２２、２２、…からビス１８、１８、…をねじ込むことで各接続片２０、２０、…に形成されたねじ穴２０Ａ、２０Ａ、…にビス１８、１８、…が螺合されて一体化される。
【００１５】
ところで、この外装カバー内に収容される基板１４、１４、…や光学ユニット１６等はメインフレーム２４に取り付けられ、このメインフレーム２４を外装カバーで覆うことにより、外装カバー内の所定の位置に配置される。
【００１６】
ここで、このメインフレーム２４に取り付けられる光学ユニット１６は、レンズユニット２６とＣＣＤユニット２８とで構成されており、それぞれ別体で構成されている。
【００１７】
レンズユニット２６は、主として撮影レンズ３０と光学ファインダ３２とで構成されており、図示しないフレームに取り付けられて一体化されている。このレンズユニット２６は、図示しないビス等でネジ止めされてメインフレーム２４に取り付けられる。
【００１８】
一方、ＣＣＤユニット２８は、主としてＣＣＤ３４と、そのＣＣＤ３４を支持する支持フレーム３６とで構成されており、支持フレーム３６をレンズユニット２６とリアカバー１２Ｂとで挟みつけることにより、レンズユニット２６の所定の位置に取り付けられる。
【００１９】
図２は、ＣＣＤユニット２８の構成を示す斜視図である。同図 (ａ）に示すように、支持フレーム３６は矩形の板状に形成されており、両側から一対のアーム３８、３８が前方に突出して形成されている。アーム３８は、板状に形成されており、その先端部３８Ａが、外側に向かって広がるように曲げ成形されている。この支持フレーム３６は形状記憶合金で成形されており、所定温度に加熱すると変形し、同図（ｂ）に示すように、アーム３８、３８の先端部３８Ａ、３８Ａが直線状に延びる。
【００２０】
以上のように構成されたＣＣＤユニット２８は、一対のアーム３８、３８の間にレンズユニット２６を収容するようにして、レンズユニット２６の背面所定位置に取り付けられる。この際、ＣＣＤユニット２８は、レンズユニット２６の背面側から覆い被せるようにしてレンズユニット２６に取り付けられ、そのアーム３８、３８の先端部３８Ａ、３８Ａをレンズユニット２６、２６に形成された被係合部４０、４０に係合させることで、レンズユニット２６に仮止めされる。
【００２１】
被係合部４０、４０は、図３に示すように、レンズユニット２６の先端部に形成されており、アーム３８、３８の先端部３８Ａ、３８Ａが挿入可能な溝状に形成されている。この被係合部４０の内壁面には、図４に示すように、楔状の凹部４０Ａが形成されており、この凹部４０Ａにアーム３８の先端部３８Ａを嵌合させることで、ＣＣＤユニット２８がレンズユニット２６に仮止めされる。
【００２２】
光学ユニット１６は以上のように構成され、その組み付けは次のように行なわれる。
【００２３】
まず、レンズユニット２６をメインフレーム２４に取り付け、図示しないビスで固定する。
【００２４】
次に、図３（ａ）に示すように、メインフレーム２４に取り付けられたレンズユニット２６にＣＣＤユニット２８を取り付ける。この際、ＣＣＤユニット２８は、そのアーム３８、３８の先端部３８Ａ、３８Ａを内側に弾性変形させながら被係合部４０、４０に挿入する。被係合部４０、４０に挿入されたアーム３８、３８の先端部３８Ａ、３８Ａは、弾性復帰することで被係合部４０、４０内の凹部４０Ａ、４０Ａに嵌合する。これにより、ＣＣＤユニット２８がレンズユニット２６の背面所定位置に仮止めされる。
【００２５】
次に、図３（ｂ）に示すように、外装カバーを取り付ける。すなわち、メインフレーム２４の前後からフロントカバー１２Ａとリアカバー１２Ｂを嵌め合わせ、ビス１８、１８、…でネジ止めして一体化する（図１参照）。この外装カバーが取り付けられると、ＣＣＤユニット２８は、取り付けられたリアカバー１２Ｂに押されレンズユニット２６に押し付けられる。これにより、ＣＣＤユニット２８が、レンズユニット２６とリアカバー１２Ｂとに挟まれて固定される。
【００２６】
次に、組み上がったデジタルカメラ１０を所定温度に加熱し、ＣＣＤユニット２８を変形させる。すなわち、図３（ｃ）に示すように、ＣＣＤユニット２８のアーム３８、３８の先端部３８Ａ、３８Ａを直線状に伸ばす。これにより、アーム３８、３８の先端部３８Ａ、３８Ａが、レンズユニット２６の被係合部４０、４０に形成された凹部４０Ａ、４０Ａから外れる。
【００２７】
ここで、アーム３８、３８の先端部３８Ａ、３８Ａが凹部４０Ａ、４０Ａから外れると、ＣＣＤユニット２８は、アーム３８、３８による支持力が失われるので、レンズユニット２６から落下するが、上記のように外装カバーが組み付けられた状態では、リアカバー１２Ｂとレンズユニット２６とに挟持されるので、落下することなく一定位置に保持される。したがって、外装カバーが組み付けられた状態では、デジタルカメラ１０は何ら障害なく作動させることができる。
【００２８】
一方、分解等を目的に外装カバーを外すと、図３（ｄ）に示すように、リアカバー１２Ｂを外した瞬間に、リアカバー１２Ｂとレンズユニット２６とで挟持していた挟持力が失われ、ＣＣＤユニット２８はレンズユニット２６から落下する。すなわち、形状変形前、ＣＣＤユニット２８は、屈曲したアーム３８、３８の先端部３８Ａ、３８Ａを被係合部４０、４０の凹部４０Ａ、４０Ａに嵌合させることで、レンズユニット２６に保持させることができたが、形状変形後は、凹部４０Ａ、４０Ａからアーム３８、３８の先端部３８Ａ、３８Ａが外れるので引っ掛かりがなくなり、レンズユニット２６から落下する。
【００２９】
そして、レンズユニット２６から落下したＣＣＤユニット２８は、先端部３８Ａ、３８Ａが直線状に変形しているので、レンズユニット２６に取り付けることはできず、この結果、再度組み立てることができなくなる。
【００３０】
このように、本実施の形態のデジタルカメラ１０によれば、外装カバーを外すとＣＣＤユニット２８が外れ、再度組み立て不能になり、再利用できなくなる。これにより、不正な再利用を効果的に防止することができる。
【００３１】
また、メーカー側では支持フレーム３６の交換、あるいは成形し直すことにより再度利用可能になり、これにより、リサイクルをシステム化することができ、安価なリサイクルデジタルカメラを提供することができるようになる。
【００３２】
この際、再度加熱又は冷却することにより、形状が復帰するようにしてもよい。この場合、カメラの使用環境下の温度（常温）とは異なる温度領域で変形させるようにする。
【００３３】
なお、本実施の形態では、アーム３８の先端部３８Ａを曲げ成形することで、レンズユニット２６の被係合部４０に係合させて仮止めするようにしているが、仮止めする方法は、これに限定されるものではない。一時的に支持フレーム３６をレンズユニット２６に固定でき、形状変形によりその支持力が失われる構成のものであれば、どのような形態のものであってもよい。
【００３４】
また、本実施の形態では、支持フレーム３６をレンズユニット２６とリアカバー１２Ｂとの挟持力のみで支えているが、リアカバー１２Ｂに設けられた接続片２０とレンズユニット２６とでアーム３８を挟持し、ビス１８で共締めすることにより、支持フレーム３６を支えるようにしてもよい。この場合、ビス１８を外すと、支持フレーム３６は支持力が失われるので、上記の場合と同様にレンズユニット２６から落下する。
【００３５】
図５は光学ユニットの第２の実施の形態の側面図である。なお、上述した第１の実施の形態のデジタルカメラと同一又は類似部材には同一符号が付されている。
【００３６】
同図に示すように、本実施の形態のデジタルカメラの光学ユニット１６は、レンズユニット２６の背面にＣＣＤ３４がスプリング５０で付勢されて取り付けられる。
【００３７】
レンズユニット２６の背面には、ＣＣＤ３４が嵌合可能な矩形状の凹部５２が形成されており、この凹部５２にＣＣＤ３４を嵌め込むことでＣＣＤ３４が所定位置に配置される。
【００３８】
ＣＣＤ３４を付勢するスプリング５０は、上下一対の支持金具５４、５４を介して支持プレート５６に取り付けられており、この支持プレート５６をレンズユニット２６の背面にビス５８、５８、…でねじ止めすることにより、レンズユニット２６に装着されたＣＣＤ３４の背面に押圧当接される。ＣＣＤ３４は、このスプリング５０に付勢されてレンズユニット２６の背面に押し付けられる。
【００３９】
スプリング５０を支持する支持金具５４、５４は、図６に示すように、棒状に形成されており、その基端部がスプリング５０に固定されている。一方、先端部５４Ａ、５４Ａは鉤状に形成されており、この鉤状に形成された先端部５４Ａ、５４Ａを支持プレート５６に形成された断面Ｌ字状の取付穴５６Ａ、５６Ａに引っ掛けることで、支持プレート５６に取り付けられる。
【００４０】
ここで、この支持金具５４、５４は、形状記憶合金で成形されており、加熱すると、同図に破線で示すように、先端部５４Ａ、５４Ａが直線状に伸び、取付穴５６Ａ、５６Ａから外れる。したがって、加熱して変形させた後は、支持プレート５６に取り付けておくことはできず落下する。
【００４１】
以上のように構成された光学ユニット１６を含むデジタルカメラの組み立て方法は次のとおりである。
【００４２】
まず、レンズユニット２６にＣＣＤ３４を取り付け、支持プレート５６で仮止めする。すなわち、支持プレート５６に設けられたスプリング５０でレンズユニット２６に取り付けられたＣＣＤ３４を付勢し、凹部５２から落下しないように押さえつける。
【００４３】
次に、レンズユニット２６とＣＣＤ３４が一体化された光学ユニット１６をメインフレーム２４に取り付け、図示しないビスで固定する。
【００４４】
次に、外装カバーを取り付ける。すなわち、メインフレーム２４の前後からフロントカバー１２Ａとリアカバー１２Ｂを嵌め合わせ、ビス１８、１８、…でネジ止めして一体化する（図１参照）。この外装カバーが取り付けられると、図６に示すように、支持プレート５６に取り付けられたスプリング５０がリアカバー１２Ｂに押されて収縮する。
【００４５】
次に、組み上がったデジタルカメラ１０を所定温度に加熱し、スプリング５０を支持する支持金具５４、５４を変形させる。すなわち、図６に破線で示すように、支持金具５４、５４の先端部５４Ａ、５４Ａを直線状に伸ばす。これにより、支持金具５４、５４の先端部５４Ａ、５４Ａが、支持プレート５６の取付穴５６Ａ、５６Ａから外れる。
【００４６】
ここで、支持金具５４、５４の先端部５４Ａ、５４Ａが取付穴５６Ａ、５６Ａから外れると、スプリング５０は支持金具５４、５４による支持力が失われるので、支持プレート５６から落下するが、上記のように外装カバーが組み付けられた状態では、リアカバー１２Ｂとレンズユニット２６とに挟持されるので、落下することなく一定位置に保持される。したがって、外装カバーが組み付けられた状態では、デジタルカメラ１０は何ら障害なく作動させることができる。
【００４７】
一方、分解等を目的に外装カバーを外すと、図７に示すように、リアカバー１２Ｂを外した瞬間に、リアカバー１２Ｂとレンズユニット２６とで挟持していた挟持力が失われ、スプリング５０は支持プレート５６から落下する。これと同時にＣＣＤ３４もスプリング５０による支持力を失い、凹部５２から落下する。これにより、デジタルカメラ１０が使用不能になる。
【００４８】
また、落下したスプリング５０は、支持金具５４、５４の先端部５４Ａ、５４Ａが直線状に変形しているので、再び支持プレート５６に取り付けることはできず、この結果、再度組み立てることができなくなる。
【００４９】
このように、本実施の形態のデジタルカメラ１０によれば、外装カバーを外すとＣＣＤ３４が外れ、再度組み立て不能になり、再利用できなくなる。これにより、不正な再利用を効果的に防止することができる。
【００５０】
なお、メーカー側では、スプリング５０ごと支持金具５４、５４を交換するか、あるいは成形し直すことにより再度利用可能になり、これにより、リサイクルをシステム化することができ、安価なリサイクルデジタルカメラを提供することができるようになる。
【００５１】
なお、上述した実施の形態では、外装カバーを外すとＣＣＤが外れるように構成しているが、他の部品が外れて使用不能になるように構成してもよい。
【００５２】
さらに、上述した実施の形態では、本発明をデジタルカメラに適用した例で説明したが、銀塩カメラにも適用することができる。
【００５３】
【発明の効果】
以上説明したように、本発明によれば、外装体を開けると内部部品が落下し、使用不能になるとともに再度組み立て不能になるので、不正な再利用を効果的に防止することができる。
【図面の簡単な説明】
【図１】本発明が適用されたデジタルカメラの分解斜視図
【図２】支持プレートの構成を示す斜視図
【図３】光学ユニットの組み立て方法の説明図
【図４】被係合部の構成を示す断面図
【図５】光学ユニットの第２の実施の形態の側面図
【図６】光学ユニットの構成を示す要部拡大図（組付け時）
【図７】光学ユニットの構成を示す要部拡大図（分解時）
【符号の説明】
１０…デジタルカメラ、１２Ａ…フロントカバー、１２Ｂ…リアカバー、１４…基板、１６…光学ユニット、１８…ビス、２０…接続片、２０Ａ…ねじ穴、２２…ビス取付穴、２４…メインフレーム、２６…レンズユニット、２８…ＣＣＤユニット、３０…撮影レンズ、３２…光学ファインダ、３４…ＣＣＤ、３６…支持フレーム、３８…アーム、３８Ａ…先端部、４０…被係合部、４０Ａ…凹部、５０…スプリング、５２…凹部、５４…支持金具、５４Ａ…先端部、５６…支持プレート、５６Ａ…取付穴、５８…ビス
【図１】
0003968775.tif 000002
【図２】
0003968775.tif 000003
【図３】
0003968775.tif 000004
【図４】
0003968775.tif 000005
【図５】
0003968775.tif 000006
【図６】
0003968775.tif 000007
【図７】
0003968775.tif 000008